(57)【要約】【課題】  腕や手にノズル部からの噴出水流を正確に当てて抹消側から心臓側に静脈還流を促進させるようなマッサージを効果的に施すことを可能にする浴槽を提供する。【解決手段】  平面視で長形の浴槽本体１ａの長手方向に亘る長辺側壁３ａに、浴槽本体１ａの長手方向の一端側に頭を位置させると共に他端側に足を位置させた入浴姿勢にある入浴者Ａの腕を支持する支持部７を設ける。該支持部７に支持した腕の先端側から基端側に向けるように上記長辺側壁３ａに沿わせて水流を噴出するノズル部９を備える。【選択図】        図１
2007260181.tif 000002
【特許請求の範囲】
【請求項１】
平面視で長形の浴槽本体の長手方向に亘る長辺側壁に、浴槽本体の長手方向の一端側に頭を位置させると共に他端側に足を位置させた入浴姿勢にある入浴者の手または腕を支持する支持部を設け、該支持部に支持した腕の先端側から基端側に向けるように上記長辺側壁に沿わせて水流を噴出するノズル部を備えて成ることを特徴とする浴槽。
【請求項２】
上記支持部を、入浴者の手に把持させることで入浴者の腕を支持する手摺りで構成したことを特徴とする請求項１に記載の浴槽。
【請求項３】
上記支持部にノズル部を設けたことを特徴とする請求項１または２に記載の浴槽。
【請求項４】
ノズル部を支持部に支持した腕の先端側から基端側にかけて複数設け、腕の先端側に位置するノズル部から順番に水流を噴出するように制御する制御部を備えたことを特徴とする請求項１乃至３のいずれかに記載の浴槽。
【発明の詳細な説明】
【技術分野】
【０００１】
本発明は、入浴者に噴出水流を当ててマッサージを施すことのできる浴槽に関するものである。
【背景技術】
【０００２】
従来から、入浴者に噴出水流を当ててマッサージを施すことのできる浴槽は、たとえば特許文献１のように知られている。この特許文献１の浴槽では、水流を噴出するノズル部は浴槽の底壁に複数設けられており、腰部を浴槽の底壁に載置した入浴姿勢で入浴した入浴者の身体の各部位に対応する各ノズル部からの噴出水流を当てることができるようにされている。なお、各ノズル部からの噴出水流は身体の先端側から基端側（抹消側から心臓側）に向けて噴出されて入浴者に当てるようにされていて、入浴者に抹消側から心臓側に静脈還流を促進させるようなマッサージを施すことができるようにされている。
【０００３】
しかしながら、この浴槽にあって入浴者の腰部などの底壁近傍に位置する身体の部位には底壁に設けた対応するノズル部からの噴出水流を略正確に当てることができるのであるが、入浴者の手や腕は、上記入浴姿勢において、対応するノズル部が設けられた底壁から比較的遠い位置にあるだけでなく、特に拘束等されるものでなくて自由に位置できる状態にあることから、ノズル部からの噴出水流を正確に当てることは困難なことであり、したがって、手や腕には入浴者に抹消側から心臓側に静脈還流を促進させるようなマッサージを効果的に施すことはできないのであった。
【特許文献１】特開２００５−３４２４９１号公報
【発明の開示】
【発明が解決しようとする課題】
【０００４】
本発明は上記の従来の問題点に鑑みて為したものであって、腕や手にノズル部からの噴出水流を正確に当てて抹消側から心臓側に静脈還流を促進させるようなマッサージを効果的に施すことを可能にする浴槽を提供することを課題とするものである。
【課題を解決するための手段】
【０００５】
上記課題を解決するために本発明の請求項１に係る浴槽は、平面視で長形の浴槽本体１ａの長手方向に亘る長辺側壁３ａに、浴槽本体１ａの長手方向の一端側に頭を位置させると共に他端側に足を位置させた入浴姿勢にある入浴者Ａの腕を支持する支持部７を設け、該支持部７に支持した腕の先端側から基端側に向けるように上記長辺側壁３ａに沿わせて水流を噴出するノズル部９を備えて成ることを特徴とする。これによると、支持部７に支持されて位置決めが為された入浴者Ａの手や腕に対してノズル部９からの噴出水流を上記手や腕の先端側から基端側に向けて正確に当てることができるのであり、腕や手に抹消側から心臓側に静脈還流を促進させるようなマッサージを効果的に施すことができる。
【０００６】
また請求項２に係る浴槽は、請求項１において、上記支持部７を、入浴者Ａの手に把持させることで入浴者Ａの腕を支持する手摺り８で構成したことを特徴とする。これによると、入浴者Ａが浴槽１から出る際に掴む手摺り８で支持部７を兼用することができ、浴槽１の簡略化を図ることができる。
【０００７】
また請求項３に係る浴槽は、請求項１または２において、上記支持部７にノズル部９を設けたことを特徴とする。これによると、浴槽１の長辺側壁３ａからノズル部９を単独で突設させたりすることを無くすることができ、浴槽１内の突起物を減らして安全性を高めることができる。
【０００８】
また請求項４に係る浴槽は、請求項１乃至３のいずれかにおいて、ノズル部９を支持部７に支持した腕の先端側から基端側にかけて複数設け、腕の先端側に位置するノズル部９から順番に水流を噴出するように制御する制御部を備えたことを特徴とする。これによると、腕の部位に先端側から徐々に基端側の部位に向けて順番に噴出水流を当てることができ、腕や手に抹消側から心臓側に静脈還流を促進させるようなマッサージを更に効果的に施すことができる。
【発明の効果】
【０００９】
本発明は、腕や手にノズル部からの噴出水流を正確に当てることができ、腕や手に抹消側から心臓側に静脈還流を促進させるようなマッサージを効果的に施し得る、という利点を有する。
【発明を実施するための最良の形態】
【００１０】
以下、本発明を添付図面に示す実施形態に基いて説明する。
【００１１】
図１には本発明の実施の形態の例を示す。本例の浴槽１は図１（ａ）のように平面視で長形の浴槽本体１ａを有する。浴槽本体１ａは平面視で長矩形状の底壁２の四周から側壁３を立ち上げて底壁２と側壁３で囲まれる槽部４を設けて形成されている。上記底壁２の四周の各側壁３のうち、長形の浴槽１の長手方向に亘る一対の側壁３を長辺側壁３ａと称し、長形の浴槽１の長手方向の端部に位置する残りの一対の側壁３を短辺側壁３ｂと称する。この浴槽１の槽部４には入浴者Ａは図１（ｂ）のように浴槽１の長手方向に身体を沿わせるようにして入浴する。詳しくは、入浴者Ａは、浴槽１の長手方向の一端側に設けた頭位置部５に頭を位置させ、他端側に設けた足位置部６に足を位置させ、浴槽１の底壁２における上記頭位置部５寄りの部位に設けた臀部載置部に臀部を載置させた入浴姿勢で、浴槽１の槽部４に入浴するのである。
【００１２】
浴槽１の一対の長辺側壁３ａには上記入浴姿勢で入浴する入浴者Ａの腕や手を支持する支持部７がそれぞれ設けられている。本例の支持部７は上方ほど槽内方に突出するような台状の手摺り８ａで構成されている。この手摺り８ａは略水平な上面部８ａ１に上記入浴姿勢の入浴者Ａが腕を伸ばした状態で手を載置して把持することができるようにされていて、上記入浴姿勢にある入浴者Ａの手や腕を支えることができるのは勿論のこと、入浴者Ａが浴槽１から出る際にも入浴者Ａの支えになる機能も有している。つまり、支持部７は入浴者Ａが浴槽１から出る際に掴む手摺り８を兼用していて浴槽１の簡略化が図られている。これら各支持部７で入浴者Ａの左右の手や腕を支持することで、上記入浴姿勢にある入浴者Ａの手や腕が位置決めされるのである。
【００１３】
また浴槽１には上記位置決めされた入浴者Ａの手や腕にその先端側から基端側（抹消側から心臓側）に水流を噴出するノズル部９が設けられている。つまりノズル部９は浴槽１に付設される水を噴出する装置の水の吐出口に設けられるものであり、水を噴出する装置としては特に図示はしないが、浴槽１の浴水取込口に一端を接続した循環流路に圧送ポンプを備えると共に空気混入部を備え、循環流路の他端に吐出口となるノズル部９を備えて成るジェットバス装置や、上記ジェットバス装置の構成に加えて循環流路の空気混入部の下流部分に混入された空気を微細化する微細気泡発生部を備えて成る微細気泡噴出装置を好適に用いることができる。
【００１４】
本例では、ノズル部９は各長辺側壁３ａに腕の先端側から基端側に２つずつ配設されており、具体的には、入浴者Ａの前腕の先端側から基端側に向けて噴出水流を当てる先端側ノズル部９ａと、入浴者Ａの上腕の先端側から基端側に向けて噴出水流を当てる基端側ノズル部９ｂとを有している。詳しくは、先端側ノズル部９ａは支持部７の上部において浴槽１の頭位置部５側の側面８ａ２に開口するように内装されており、基端側ノズル部９ｂは長辺側壁３ａにおける支持部７の近傍の浴槽１の頭位置部５側の位置に突設されて浴槽１の頭位置部５側に向けて開口するようにされている。なお、上記入浴姿勢にある入浴者Ａの前腕は略水平に位置するので、先端側ノズル部９ａの水流の噴出方向は長辺側壁３ａに沿うと共に略水平な方向に設定されている。また、上記入浴姿勢にある入浴者Ａの上腕は肩から徐々に下がるように位置するので、基端側ノズル部９ｂの水流の噴出方向は長辺側壁３ａに沿うと共にやや斜め上方に設定されている。ここで、ノズル部９を設けるにあたって、本例では上記のようにノズル部９を支持部７に設けているので、浴槽１の長辺側壁３ａから突設させるノズル部９の個数を極力少なくしており、浴槽１内の突起物を減らして安全性を高める工夫が施されている。
【００１５】
また、上記腕の先端側から基端側にかけて複数設けたノズル部９は、制御部によって腕の先端側に位置するノズル部９から順番に水流を噴出するように制御可能にされている。具体的に、制御部によると、先端側ノズル部９ａから噴出水流を噴出し停止した後に、基端側ノズル部９ｂから噴出水流を噴出するように制御可能にしている。これによると、腕や手に先端側の部位から徐々に基端側の部位に向けて順番に噴出水流を当てることができ、腕や手に抹消側から心臓側に静脈還流を促進させるようなマッサージを更に効果的に施すことができるのである。
【００１６】
以下、本発明の実施の形態の他例を列挙する。先例と同様部位には符号を付して説明を省き、異なる部位を説明していく。
【００１７】
図２には本発明の実施の形態の他例を示す。本例では支持部７として入浴者Ａが浴槽１から出る際に掴むことのできるコ字棒状の手摺り８ｂが採用されている。詳しくは、コ字棒状の手摺り８ｂは、長辺側壁３ａから槽内に略水平に突出する上下の横棒部８ｂ１,８ｂ２と各横棒部８ｂ１,８ｂ２の突出先端同士を縦棒部８ｂ３で連結して形成されている。入浴姿勢にある入浴者Ａは手で縦棒部８ｂ３の略中央部分を把持することで手や腕が支持部７に支持されるようになっている。また、本例では、先端側ノズル部９ａは長辺側壁３ａにおける支持部７の近傍の浴槽１の足位置部６側の部位に配設されている。この例においても、先例同様に、支持部７に支持されて位置決めが為された入浴者Ａの手や腕に対してノズル部９からの噴出水流を上記手や腕の先端側から基端側に向けて正確に当てることができるのであるから、腕や手に抹消側から心臓側に静脈還流を促進させるようなマッサージを施すことが可能にされると共に、制御部を介して腕や手に抹消側から心臓側に静脈還流を促進させるようなマッサージを効果的に施し得るようにしている。
【００１８】
図３には本発明の実施の形態の他例を示す。本例では先例同様、支持部７としてコ字棒状の手摺り８ｂが採用されているが、ノズル部９は上記手摺り８ｂの下側の横棒部８ｂ２に頭位置部５側に向けて開口するようにして内装されている。このノズル部９は入浴者Ａの前腕にその先端側から基端側に向けて噴出水流を当てることができるように、先の先端側ノズル部９ａと同様に、水流の噴出方向が長辺側壁３ａに沿うと共に略水平な方向に設定されている。この例においても、先例同様に、支持部７に支持されて位置決めが為された入浴者Ａの手や腕に対してノズル部９からの噴出水流を上記手や腕の先端側から基端側に向けて正確に当てることができるのであるから、腕や手に抹消側から心臓側に静脈還流を促進させるようなマッサージを施すことが可能にされる共に、ノズル部９を支持部７に設けて浴槽１内の突起物を減らして安全性を高める工夫が施されている。
【００１９】
上記実施形態では、ノズル部９を腕の先端側から基端側に１つ、２つ並べて設けたものを例示したが、腕の先端側から基端側に並設するノズル部９の個数はこれに限られず任意の個数を設けることができる。この場合にも制御部によって腕の先端側に位置するノズル部９から順番に水流を噴出するように制御して、手や腕に抹消側から心臓側に静脈還流を促進させるようなマッサージを効果的に施すことができる。また、上記実施形態では、手や腕に抹消側から心臓側に静脈還流を促進させるようなマッサージを施すためのノズル部９のみを例示したが、入浴姿勢にある入浴者Ａの脚や腰や背中等の身体各部に静脈還流を促進させるようなマッサージを施すためのノズル部９を浴槽１の底壁２等の適所に配設することを併用することも可能であり、好ましいものである。
【図面の簡単な説明】
【００２０】
【図１】本発明の実施の形態の例の浴槽であり、（ａ）は斜視図であり、（ｂ）は入浴者が入浴した状態の透視側面図である。
【図２】本発明の実施の形態の他例の浴槽であり、（ａ）は斜視図であり、（ｂ）は入浴者が入浴した状態の透視側面図である。
【図３】本発明の実施の形態の更に他例の浴槽であり、（ａ）は斜視図であり、（ｂ）は入浴者が入浴した状態の透視側面図である。
【符号の説明】
【００２１】
１  浴槽
１ａ  浴槽本体
２  底壁
３  側壁
３ａ  長辺側壁
４  槽部
５  頭位置部
６  足位置部
７  支持部
８  手摺り
９  ノズル部
９ａ  先端側ノズル部
９ｂ  基端側ノズル部
【図１】
2007260181.tif 000003
【図２】
2007260181.tif 000004
【図３】
2007260181.tif 000005